(57)【特許請求の範囲】
【請求項１】
インピーダンスマッチングされた一組の送信機及び受信機と、
前記送信機又は前記受信機に設けられるインピーダンス整合部と、
前記インピーダンス整合部に対して並列に接続され、インピーダンス不整合状態を検知することで前記送信機及び前記受信機の間の通信異常状態を検出するインピーダンス不整合検出器と、を備える、通信異常検出システム。
【請求項２】
請求項１に記載の通信異常検出システムであって、前記インピーダンス不整合検出器は、前記インピーダンス整合部の両端の電圧を検出し、前記両端の電圧の差分から電流の位相成分を有する電圧信号を生成する電流値出力部を備える、通信異常検出システム。
【請求項３】
請求項２に記載された通信異常検出システムであって、前記インピーダンス不整合検出器は、前記電圧信号と前記インピーダンス整合部の一端の電圧との差分処理により異常検出信号を生成する電流・電圧差分出力部を備える、通信異常検出システム。
【請求項４】
請求項２又は３に記載された通信異常検出システムであって、前記インピーダンス不整合検出器の内部に故障診断信号生成部を備え、前記故障診断信号生成部は、前記インピーダンス不整合検出器の検出出力が異常値となるような制御信号を生成して前記電圧信号の信号線に挿入し、前記制御信号と前記異常検出信号とが連動するか否かで前記インピーダンス不整合検出器自体の故障を検出する、通信異常検出システム。
【請求項５】
インピーダンスマッチングされた一組の送信機及び受信機の前記送信機側のインピーダンス整合部に対して並列に接続されインピーダンス不整合検出器を用い、
前記インピーダンス整合部の両端の電圧を検出し、前記両端の電圧の差分から電流の位相成分を有する電圧信号を生成するステップと、
前記電圧信号と前記インピーダンス整合部の一端の電圧との差分処理により異常検出信号を生成するステップと、
前記異常検出信号からインピーダンス不整合状態を検知し、前記送信機及び前記受信機の間の通信に関する異常状態を検出するステップと、を備える、通信異常検出方法。
【請求項６】
請求項５に記載された通信異常検出方法であって、前記インピーダンス不整合検出器の検出出力が異常値となるよう前記電圧信号の信号線に挿入された制御信号と、前記異常検出信号とが連動するか否かで前記インピーダンス不整合検出器自体の故障を検出するステップを備える、通信異常検出方法。
【発明の詳細な説明】
【技術分野】
【０００１】
本発明は、通信異常検出システム及び通信異常検出方法に係り、特に、送信機及び受信機を用いた通信や電力送受信において、送信機から受信機に情報或いは電力が異常なく伝達されたか否かを検出する通信異常検出システム及び通信異常検出方法に関する。
【背景技術】
【０００２】
送信機及び受信機を用いた通信や電力送受信において、送信機から受信機に情報或いは電力が異常なく伝達されたか否かを検出する様々な通信異常検出手法が考案されている。
【０００３】
特許文献１には、自動列車停止装置の地上装置において送信機から受信機に伝達された出力信号を、受信機から送信機にフィードバックすることで通信の異常を検出する通信異常検出手法が開示されている。この手法は、断線や短絡といった種々な故障が原因で伝送不良になった異常状態を検出する手法の一つである。
【０００４】
ここでは、地上子は、変調器、整合トランス、アンテナ、カレントトランス、断線検出回路を有している。変調器は、制御電文を変調して制御信号を得て、その制御信号を整合トランスに伝送する。整合トランスは、アンテナに接続されている。アンテナは、電磁結合により、車上装置に制御信号を伝送する。そして、カレントトランスは、アンテナに接続され、アンテナに伝送された制御信号に基づく電流検出信号を断線検出回路に供給する。断線検出回路は、制御電文と電流検出信号とに基づき断線の有無を判定し、断線検出信号を出力する。断線検出回路はアンド回路で構成され、制御電文が「有」、かつ、電流検出信号が「有」であるときに、地上子に断線や短絡がないと判定して断線検知信号を出力する。
【０００５】
また、特許文献２には、伝送不良を引き起こす原因の一つである断線に着目した通信異常検出手法が開示されている。ここでは、断線を検出するためにトランスを加工し、集信号ラインに直流信号を追加により重畳し、直流信号の有無により断線による通信異常を検出することが記載されている。
【０００６】
さらに、特許文献３には、特許文献２と同様に断線に着目した通信異常検出手法が開示されている。ここでは、電流検出用のカレントトランスを信号線に挿入するか、或いはクランプし、電流信号の有無により断線による通信異常を検出する通信異常検出手法が記載されている。
【先行技術文献】
【特許文献】
【０００７】
【特許文献１】特許第３４１０２２９号
【特許文献２】特開２００９−１７３２１４号公報
【特許文献３】特開２０１５−１３５７５号公報
【発明の概要】
【発明が解決しようとする課題】
【０００８】
特許文献１に記載された通信異常検出手法は、断線や短絡といった故障を幅広く検出できるが、装置内部にフィードバックのシステムを設置しなければならず大がかりな設備の更新が必要となる。そのため簡易な構成により通信の異常を検出することはできないという問題がある。
【０００９】
また、特許文献２及び特許文献３に記載された通信異常検出手法は、通信故障のうち「断線」のみの検出に限定されるため、漏れのない通信異常検出手法とは言えない。また、追加のトランスが必要となり、クランプする場合にはさらに追加の配線が必要なるためコストアップするという問題がある。
【００１０】
本願の目的は、係る課題を解決し、簡易な構成により的確にかつ漏れなく通信回線の異常状態を検出できる通信異常検出システム及び通信異常検出方法を提供することである。
【課題を解決するための手段】
【００１１】
上記目的を達成するため、本発明に係る通信異常検出システムは、インピーダンスマッチングされた一組の送信機及び受信機と、送信機又は受信機に設けられるインピーダンス整合部と、前記インピーダンス整合部に対して並列に接続され、インピーダンス不整合状態を検知することで送信機及び受信機の間の通信異常状態を検出するインピーダンス不整合検出器と、を備えることを特徴とする。
【００１２】
上記構成により、「通信回線に断線や短絡などの故障が発生すると送信機及び受信機の間でインピーダンスが不整合になる」という現象を利用し、送信機及び受信機の間の通信異常状態を検出することができる。すなわち、通信システムにおける一組の送信機及び受信機は、設置された段階で、例えば、インピーダンス整合部などによりインピーダンスマッチングがされている。しかし、通信回線に断線や短絡などの故障が発生すると送信機及び受信機の間においてインピーダンスが不整合となる。そこで、送信機側に設けられたインピーダンス整合部にインピーダンス不整合検出器を接続させることで通信回線に発生した断線や短絡などの故障を的確に検出することができる。
【００１３】
このインピーダンス不整合検出器は、インピーダンス整合部に対して並列に設けられた検出回路である。従って、既存の回路構成に影響を与えることなく低コストで機能拡張ができる。
【００１４】
このインピーダンス不整合検出器は、インピーダンス整合部とペアで設けられるため、送信機ではなく、受信機にインピーダンス整合部が設けられる場合には、インピーダンス不整合検出器も受信機側に設けられても良い。さらに、送信機と受信機の双方にインピーダンス整合部とインピーダンス不整合検出器がペアで設けられても良い。
【００１５】
また、通信異常検出システムは、インピーダンス不整合検出器が、インピーダンス整合部の両端の電圧を検出し、両端の電圧の差分から電流の位相成分を有する電圧信号を生成する電流値出力部を備えることが好ましい。つまり、「送信機及び受信機の間でインピーダンスが不整合になると、負荷の電圧信号及び電流信号のレベルや位相がインピーダンス整合時の値に対して変動する」という現象を利用し、通信回線に発生した断線や短絡などの故障を簡易に検出することができる。すなわち、後述するように、インピーダンス整合部の両端の電圧を検出するという簡易な手段により、負荷の電圧信号及び電流信号のレベルや位相のインピーダンス整合時の値に対する変動が簡明な数値により検出できる。また、電流値出力部が両端の電圧の差分から電流の位相成分を有する電圧信号を生成することで、後述するように、負荷の電圧信号及び電流信号の「レベル」及び「位相」の変動を共に検知でき、通信回線の故障を漏れなく検出することができる。
【００１６】
また、通信異常検出システムは、インピーダンス不整合検出器が、電圧信号とインピーダンス整合部の一端の電圧との差分処理により異常検出信号を生成する電流・電圧差分出力部を備えることが好ましい。つまり、電流・電圧差分出力部は、電流の位相成分を有し、電圧のディメンジョンを有する電圧信号、及びインピーダンス整合部の一端の電圧の差分を算出することでスカラー値でありかつ位相成分を保持した差分を得ることができる。これにより、負荷の電圧信号及び電流信号の「レベル」及び「位相」の変動を共に同時に評価することができる。
【００１７】
また、通信異常検出システムは、前記インピーダンス不整合検出器の内部に故障診断信号生成部を備え、前記故障診断信号生成部は、前記インピーダンス不整合検出器の検出出力が異常値となるような制御信号を生成して電圧信号の信号線に挿入し、前記制御信号と異常検出信号とが連動するか否かでインピーダンス不整合検出器自体の故障を検出することが好ましい。これにより、検知センサであるインピーダンス不整合検出器自体の故障を診断することができる。すなわち、故障診断信号生成部において異常検出信号出力が異常値となるような信号を生成してインピーダンス不整合検出器の内部の電圧信号の信号線に挿入する。そして、検知センサが故障診断信号生成部に対する信号と異常検出信号とが連動するか否かを診断する。そして、これらの信号が連動する場合には、インピーダンス不整合検出器自体の故障は無く、連動しない場合には故障が存在すると判断できる。
【００１８】
上記目的を達成するため、本発明に係る通信異常検出方法は、インピーダンスマッチングされた一組の送信機及び受信機の送信機側のインピーダンス整合部に対して並列に接続されインピーダンス不整合検出器を用い、インピーダンス整合部の両端の電圧を検出し、両端の電圧の差分から電流の位相成分を有する電圧信号を生成するステップと、電圧信号とインピーダンス整合部の一端の電圧との差分処理により異常検出信号を生成するステップと、異常検出信号からインピーダンス不整合状態を検知し、送信機及び受信機の間の通信に関する異常状態を検出するステップと、を備えることを特徴とする。
【００１９】
上記構成により、「通信回線に断線や短絡などの故障が発生すると送信機及び受信機間でインピーダンスが不整合になる」という現象を利用し、送信機及び受信機の間の通信異常状態を検出することができる。すなわち、通信システムにおける一組の送信機及び受信機は、設置された段階で、例えばインピーダンス整合部などによりインピーダンスマッチングがされている。しかし、通信回線に断線や短絡などの故障が発生すると送信機及び受信機間においてインピーダンスが不整合となる。そこで、送信機側に設けられたインピーダンス整合部にインピーダンス不整合検出器を接続させることで通信回線に発生した断線や短絡などの故障を的確に検出できる。
【００２０】
さらに、通信異常検出方法は、インピーダンス不整合検出器の出力が異常値となるよう電圧信号の信号線に挿入された信号と、異常検出信号とが連動するか否かでインピーダンス不整合検出器自体の故障を検出するステップを備えることが好ましい。これにより、検知センサであるインピーダンス不整合検出器自体の故障を診断することができる。すなわち、故障診断信号生成部により異常検出信号の出力が異常値となるような信号が生成され、この信号がインピーダンス不整合検出器の内部の電圧信号の信号線に挿入される。そして、故障診断信号生成部に対する信号と異常検出信号とが連動するか否かが診断される。そして、これらの信号が連動する場合には、インピーダンス不整合検出器自体の故障は無く、連動しない場合には故障が存在すると判断できる。
【発明の効果】
【００２１】
以上のように、本発明に係る通信異常検出システム及び通信異常検出方法によれば、簡易な構成により的確にかつ漏れなく通信回線の異常状態を検出することができる。
【図面の簡単な説明】
【００２２】
【図１】本発明に係る通信異常検出システムの一つの実施形態の概略構成を示すブロック図である。
【図２】本発明に係るインピーダンス不整合検出器の一つの実施例を示すブロック図である。
【図３】電圧信号（Ｖ）と電流信号（Ｉ）とを示すベクトル図である。
【図４】電圧信号（Ｖ２）及び電流の位相成分を有する電圧信号（Ｉｖ）の差分（Ｉｖ−Ｖ２）を示すベクトル図である。
【図５】本発明に係る通信異常検出方法を示すフローチャートである。
【図６】インピーダンス不整合検出器自体の故障検知方法を示すフローチャートである。
【発明を実施するための形態】
【００２３】
（通信異常検出システムの構成）
以下に、図面を用いて本発明に係る通信異常検出システム１につき、詳細に説明する。図１に通信異常検出システム１の一つの実施形態の概略構成をブロック図で示す。また、図２に、本発明に係るインピーダンス不整合検出器６ａの一つの実施例をブロック図で示す。
【００２４】
図１に示すように、本発明に係る通信異常検出システム１は、通信や電力送受信を行う一組の送信機２及び受信機３と、送信機２及び受信機３を接続して電気信号を伝送する伝送路である通信ケーブル４とから構成される。送信機２側では、制御部１０が信号発生器１１に受信機３に伝送する信号を発生させる。そして、インピーダンス整合部５ａにて伝送する信号のインピーダンス整合が行われ、整合された信号は、送信側トランス１２を経由して通信ケーブル４にて受信側トランス１３へと伝送される。
【００２５】
通常、一組の送信機２及び受信機３は、最も効率良く信号のエネルギを伝達させるためにインピーダンスマッチングされている。本実施形態では、インピーダンス整合部５ａにてこのインピーダンスマッチングが行われる。ここで、図１に示すように、送信機２側の出力インピーダンスを符号ＺＯで表わし、受信機側の入力インピーダンスをＺIで表わし、通信ケーブル４の特性インピーダンスをＺｃで表わす。このとき、送信機２側からみたインピーダンスマッチングとは、ＺＯとＺｃ，及びＺｃとＺIを整合させることである。ここで、受信機の入力インピーダンスＺIと通信ケーブル４の特性インピーダンスＺｃとは、実数値ｋを用いてＺI＝ｋ×Ｚｃの関係があるものとする。この実数値ｋの値により理論上は伝送路における故障の発生状況が判定できる。例えば、実数値ｋ＝１のときは、インピーダンスマッチングされている。また、実数値ｋ＝０のときは、伝送路において短絡による故障が発生し、実数値ｋ＝∞のときは、伝送路において断線による故障が発生している。
【００２６】
本発明は、上述したインピーダンスマッチングが行われた一組の送信機２及び受信機３において、送信機２側に設けられたインピーダンス整合部５ａにインピーダンス不整合検出器６ａを接続する。そして、インピーダンス不整合検出器６ａにインピーダンス不整合状態を検知させることで送信機２及び受信機３の間の通信異常状態を検出する。これは、「通信回線に断線や短絡などの故障が発生すると送信機２及び受信機３の間でインピーダンスが不整合になる」という現象を利用したものである。すなわち、通信回線に断線や短絡などの故障が発生すると送信機２及び受信機３の間においてインピーダンスが不整合となる。そこで、送信機２側に設けられたインピーダンス整合部５ａにインピーダンス不整合検出器６ａを接続させることで通信回線に発生した断線や短絡などの故障を検出する。
【００２７】
このインピーダンス不整合検出器６ａは、インピーダンス整合部５ａに対して並列に設けられた検出回路である。従って、既存の回路構成に影響を与えることなく低コストで機能を拡張することができる。また、インピーダンス不整合検出器６ａは、送信機２内部の機能拡張により、送信機２内部だけではなく、さらに外部も含めた故障検出ができる。
【００２８】
また、インピーダンス不整合検出器６ａは、インピーダンス整合部５ａとペアで設けられるため、送信機２ではなく、受信機３にインピーダンス整合部５ｂが設けられる場合には、インピーダンス不整合検出器６ｂも受信機３側に設けられても良い。さらに、送信機２と受信機３の双方にインピーダンス整合部５ａ,５ｂとインピーダンス不整合検出器６ａ,６ｂをペアで設けても良い。
【００２９】
図２に示すように、通信異常検出システム１は電流値出力部７を有する。この電流値出力部７は、インピーダンス整合部５ａの両端の電圧（Ｖ１，Ｖ２）を検出し、両端の電圧（Ｖ１，Ｖ２）の差分ΔＶから電流の位相成分を有する電圧信号（Ｉｖ）を生成する。すなわち、インピーダンス整合部５ａの両端の電圧差（Ｖ１−Ｖ２）を抵抗（Ｒ）で割ると電流（Ｉ）のディメンジョンを有する値が得られる。交流の場合には、電流と電圧との間に位相差が発生するが、ここでは、電圧信号Ｉｖ＝（Ｖ１−Ｖ２）とし、電流の位相状態を維持した、言い換えると、電流の位相成分を有する電圧信号（Ｉｖ）とする。
【００３０】
図３に、電圧信号（Ｖ）と電流信号（Ｉ）とをベクトル表示で説明する。これらの電圧信号（Ｖ）及び電流信号（Ｉ）のなす角度が位相（Θ）を表し、電圧信号（Ｖ）及び電流信号（Ｉ）のベクトルの大きさがそれぞれのレベルを表す。電圧信号（Ｖ）及び電流信号（Ｉ）は、それぞれ下式により表わされる。又、これらの数式をそれぞれ第１項と第２項とに分解して表記する。
Ｖ＝Ｅ／２（１＋（ｋ−１／ｋ＋１）×ｅσ）
＝Ｅ／２＋Ｅ／２（ｋ−１／ｋ＋１）×ｅσ
Ｉ＝［Ｅ／２（１−（ｋ−１／ｋ＋１）×ｅσ）］／Ｒ
＝Ｅ／２Ｒ−Ｅ／２（ｋ−１／ｋ＋１）×ｅσ／Ｒ
ここに、Ｖは電圧信号であり、Ｉは電流信号であり、Ｅの絶対値である｜Ｅ｜は送信機 ２の電源出力の実効値とする。また、σは−２β×Ｌであり、Ｌは伝送路の長さであり、βは、伝搬定数ｇ（＝α＋ｊβ）で示される位相定数である。なお、減衰定数αは計算の簡略化のため省略している。
【００３１】
上述した数式を図３に示す原点を「Ｏ」とした極座標で表わしてみる。電圧信号（Ｖ）はベクトルＯＡとなり、電流信号（Ｉ）はベクトルＯＢとなる。電圧信号（Ｖ）であるベクトルＯＡは、Ｃ点を用いてベクトルＯＣ＋ベクトルＣＡで表わされる。ここに、ベクトルＯＣは、上記数式の第１項であるＥ／２を示し、伝送路の特性インピーダンス値（Ｚｃ）や伝送路の長さ（Ｌ）に拘わらず一定値となる。一方、ベクトルＣＡは上記数式の第２項であるＥ／２（ｋ−１／ｋ＋１）×ｅαとなり伝送路の特性インピーダンス（Ｚｃ）や伝送路の長さ（Ｌ）に依存する値となる。
【００３２】
同様に、電流信号（Ｉ）であるベクトルＯＢは、Ｃ点を用いてベクトルＯＣ＋ベクトルＣＢで表わされる。ここに、ベクトルＯＣは、上記数式の第１項であるＥ／２Ｒを示し、伝送路の特性インピーダンス値や伝送路の長さに拘わらず一定値となる。そして、このベクトルＯＣは、電圧信号（Ｖ）と共有する。一方、ベクトルＣＢは上記数式の第２項であるＥ／２（ｋ−１／ｋ＋１）×ｅα／Ｒとなり伝送路の特性インピーダンス値や伝送路の長さＬに依存する。そして、ベクトルＣＢはベクトルＣＡと大きさが等しくＣ点を中心に１８０°回転したベクトルとなる。
【００３３】
図４に、電圧信号（Ｖ２）及び電流の位相成分を有する電圧信号（Ｉｖ）の差分（Ｉｖ−Ｖ２）をベクトル表示により説明する。図４（ａ）に電圧信号（Ｖ２）をベクトル表示し、図４（ｂ）に電圧信号（Ｉｖ）をベクトル表示する。ここで、図３と同様に、図４（ａ）では電圧信号（Ｖ２）のベクトルＯＡはベクトルＯＣ＋ベクトルＣＡとなる。また、図４（ａ）では電圧信号（Ｉｖ）のベクトルＯＢはベクトルＯＣ＋ベクトルＣＢとなる。電圧信号（Ｖ２）及び電圧信号（Ｉｖ）の差分（Ｉｖ−Ｖ２）は、ベクトルＯＢ−ベクトルＯＡとなるが、共にベクトルＯＣを共有するため相殺される。その結果、ベクトルＣＢ−ベクトルＣＡとなり、図４（ｂ）に示されるような原点を中心としたベクトルとなる。図４（ｂ）において、“ｍ”は、｜Ｅ／２（ｋ−１／ｋ＋１）｜であり、ベクトルＣＡ及びベクトルＣＢの長さを表す。従って、ベクトルＣＢ−ベクトルＣＡの長さは、“２ｍ”となる。
【００３４】
このように、電圧信号（Ｖ２）及び電圧信号（Ｉｖ）の差分（Ｉｖ−Ｖ２）である検出信号（Ｄ）は、電圧信号（Ｖ）と電圧信号（Ｉｖ）との位相がキャンセルされる。数式Ｉｖ−数式Ｖ２を計算すると、それぞれの第１項が打ち消し合い、それぞれの第２項が加算され、Ｅとなる。すなわち、Ｉｖ−Ｖ２＝Ｅ×（ｋ−１／ｋ＋１）×ｅαとなる。このように、検出信号（Ｄ）は、実数値（ｋ）を判定することで通信回線の故障を漏れなく検出することができる。検出信号（Ｄ）は、図２に示すように、整流回路１４にて整流信号に変換され、レベル判定器１５にて異常信号のレベルが判定される。そしてトリガ信号が制御部１０に送信される。
【００３５】
また、通信異常検出システム１は、インピーダンス不整合検出器６ａが、電圧信号（Ｉｖ）とインピーダンス整合部５ａの一端の電圧（Ｖ２）との差分処理（Ｉｖ−Ｖ２）により異常検出信号（Ｄ）を生成する電流・電圧差分出力部８を備える。すなわち、電圧信号（Ｉｖ）とインピーダンス整合部５ａの一端の電圧（Ｖ２）とは、共に同じディメンジョンであるため引算が成立し、この差分処理（Ｉｖ−Ｖ２）により電圧・電流信号の位相差だけがキャンセルされ、各信号レベルについても同時に比較した検出信号（Ｄ）が得られる。
【００３６】
この異常検出信号（Ｄ）は、インピーダンス整合状態が正常であれば、理論的に零となる。しかし、インピーダンス整合状態が異常となった場合には、｜Ｅ｜×（１−ｋ）／（１＋ｋ）で表わされる一定振幅の検出信号（Ｄ）が得られる。ここで、Ｅの絶対値である｜Ｅ｜は送信機２の電源出力の実効値である。この検出信号（Ｄ）の値は理論値であり、減衰のない理想的な通信ケーブル４の場合を仮定し得る。この実効値（｜Ｅ｜）の係数（１−ｋ）／（１＋ｋ）は、実数値ｋ＝１のとき零となり、異常検出信号（Ｄ）は発生しない。また、実数値ｋ＝０のときは１となり伝送路において短絡による故障が発生し、実数値ｋ＝∞のときは−１となり伝送路において断線による故障が発生していることを示す。
【００３７】
（インピーダンス不整合検出器自体の故障検知手法の構成）
上述した通信異常検出システム１は、通信ケーブル４などの信号の伝送路での断線や短絡などの故障を検出できるが、インピーダンス不整合検出器６ａ自体の故障については検知できない。そこで、インピーダンス不整合検出器６ａ自体の故障を検知する手法を以下に説明する。
【００３８】
通信異常検出システム１は、インピーダンス不整合検出器６ａの内部に故障診断信号生成部９を設ける。この故障診断信号生成部９は、インピーダンス不整合検出器６ａの出力である検出信号（Ｄ）が異常値となるような異常状態を生成する、例えば、フォトＭＯＳスイッチなどの回路である。そして、図２に示すように、故障診断信号生成部９を電圧信号（Ｖ１）又は電圧信号（Ｖ２）の信号線に挿入する。そして、インピーダンス不整合検出器６ａを取り付けた送信機２において、故障診断信号生成部９に対する制御信号（Ｐ）とインピーダンス不整合検出器６ａの出力である検出信号（Ｄ）が連動しているか否かを診断する。
【００３９】
故障診断信号生成部９に対する制御信号（Ｐ）とインピーダンス不整合検出器６ａの出力である検出信号（Ｄ）が連動している場合には、検出信号（Ｄ）が異常値となるように生成された異常状態が、そのまま検出信号（Ｄ）に反映されていると判断できる。そして、インピーダンス不整合検出器６ａの内部において、断線や短絡などの故障が発生していないと診断できる。一方、制御信号（Ｐ）と検出信号（Ｄ）とが連動していない場合には、制御信号（Ｐ）が検出信号（Ｄ）に反映されていないことから、インピーダンス不整合検出器６ａの内部において、断線や短絡などの故障が発生していると診断できる。
【００４０】
（通信異常検出方法）
図５に、インピーダンス不整合検出器６ａによる通信異常検出方法をフローチャートで示す。通信異常検出方法の各ステップは、符号Ｓ１〜Ｓ５で示す。まず、インピーダンスマッチングされた一組の送信機２又は受信機３に設けられたインピーダンス整合部５ａにインピーダンス不整合検出器６を取り付ける（Ｓ１）。そして、インピーダンス整合部５ａの両端の電圧を検出し、両端の電圧の差分から電流の位相成分を有する電圧信号を生成する（Ｓ２）。さらに、電圧信号とインピーダンス整合部５ａの一端の電圧との差分処理により検出信号（Ｄ）を生成する（Ｓ３）。そして、その検出信号（Ｄ）からインピーダンス不整合状態か否かを判定する（Ｓ４）。検出信号（Ｄ）が異常である場合は、送信機２及び受信機３の間の通信に関する異常状態を検出し（Ｓ５）、検出信号（Ｄ）が異常でない場合は、送信機２及び受信機３の間の通信に関する異常状態を検出せずにステップ２に戻る。
【００４１】
（インピーダンス不整合検出器自体の故障検知方法の構成）
図６に、インピーダンス不整合検出器６ａ自体の故障検知方法をフローチャートで示す。まず、本故障検知方法の各ステップは、符号Ｓ１〜Ｓ３で示す。インピーダンス不整合検出器６ａの出力が異常値となるよう電圧信号の信号線に挿入する（Ｓ１）。そして、挿入された信号と異常検出信号（Ｄ）とが連動するか否かを判定し（Ｓ２）、連動する場合は異常値を検出できるので、インピーダンス不整合検出器６ａ自体の故障は無く正常と判断してステップ１に戻る。一方、連動しない場合は、インピーダンス不整合検出器６ａ自体の故障を検出する（Ｓ３）。
【００４２】
以上の実施形態で説明された構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる。
【符号の説明】
【００４３】
１  通信異常検出システム、２  送信機、３  受信機、４  通信ケーブル、５ａ，５ｂ  インピーダンス整合部、６ａ，６ｂ  インピーダンス不整合検出器、７  電流値出力部、８  電流・電圧差分出力部、９  故障診断信号生成部、１０  制御部、１１  信号発生器、１２  送信側トランス、１３  受信側トランス、１４  整流回路、１５  レベル判定部、Ｄ  （異常）検出信号、Ｅ  電源出力の実効値、Ｉ  電流信号、Ｉｖ  電流の位相成分を有する電圧信号、Ｌ  伝送路の長さ、ｍ  ベクトルＣＡの長さ、ｎ  ベクトルＣＢの長さ、Ｐ  制御信号、ｋ  実数値（ＺI／Ｚｃ）、Ｖ  電圧信号、Ｖ１  （インピーダンス整合部の一端の）電圧信号、Ｖ２  （インピーダンス整合部の他端の）電圧信号、ＺＯ  送信機の出力インピーダンス、Ｚｃ  通信ケーブルの特性インピーダンス、ＺI  受信機の入力インピーダンス、Θ  電圧と電流の位相。
【図１】
0006628537.tif 000002
【図２】
0006628537.tif 000003
【図３】
0006628537.tif 000004
【図４】
0006628537.tif 000005
【図５】
0006628537.tif 000006
【図６】
0006628537.tif 000007